(57)【要約】【課題】  所員が携帯するＩＣカードを使ったゲート通過システムにおいて、仮にこのＩＣカードが持ち主以外の第3者に渡っても、容易にこのゲートを通過できないゲート通過システムとすること。【解決手段】  ゲート12の付近に複数の認証検知装置20を設け、第3者から見てどの所員がどの認証検知装置２０を使ってゲート12を通過するか判らないよう構成することにより、ＩＣカードが第3者に渡ってもこのゲートに入るのを阻止する。【選択図】  図1
2009169804.tif 000002
【特許請求の範囲】
【請求項１】
エントランススペースと職場スペースとを備え、且つエントランススペースと職場スペースとの境界部に職場ゲートを設けたオフィススペースにおいて用いるシステムであり、上記職場ゲートの近傍で且つエントランススペース内に配置した複数の認証検知装置と、この職場スペースにある複数の職場単位で、上記複数の認証検知装置のどれを使うか職場単位対応で記憶装置に記録した職場リストと、職場スペース内に席を持つ複数の人の持つＩＣカードとを備え、且つＩＣカードにその人の所属する職場に対応して予め定めてある職場リストに記録されている特定の認証検知装置を記録する認証検知装置記録手段とを備え、その人の職場で予め定めた認証検知装置でのみ職場ゲートを開き、それ以外の認証検知装置ではこの職場ゲートが開かないよう構成しているゲート通過システム。
【請求項２】
上記職場リストに記録した職場単位の認証検知装置を適宜変更し、この変更情報に基づき、職場スペース内に席を持つ複数の人の持つＩＣカードに記録する認証検知装置として、職場リストに記録されたものに変更したＩＣカードにより職場ゲートを開くよう構成している請求項１項記載のゲート通過システム。
【請求項３】
上記ＩＣカードに記録されている特定の認証検知装置と異なる認証検知装置で個人認証をした情報を検出する誤認証検出手段を各認証検知装置に備え、この誤認証検出手段からの誤認証情報により、警報を発するエントランススペースに配置した警報手段を備えたことを特徴とする請求項１項記載のゲート通過システム。
【発明の詳細な説明】
【技術分野】
【０００１】
本発明はゲート通過システムに係わり、特に社員の個人認証情報を内蔵したＩＣカードをゲート通過時に確認し、このゲートの開閉を行うゲート通過システムにおいて、上記ＩＣカードを用いた当人以外の第３者によるこのゲートの通過を阻止するのに好適に利用できるものである。
【背景技術】
【０００２】
従来のゲート通過システムとしては、例えば出入り管理に個人情報を記録したカードを利用したものがある。(特許文献１)
【０００３】
また従来のゲート通過システムとしては、個人識別情報を用いて施錠開錠を管理するものが知られている。(特許文献２)
【０００４】
従来のゲート通過システムとしては、例えば出入りする本人の指紋を使って個人認証するものがある。(特許文献3)
【０００５】
【特許文献１】特開平09-112095号公報
【特許文献２】特開2002-303067号公報
【特許文献３】特開2000-145229号公報
【発明の開示】
【発明が解決しようとする課題】
【０００６】
しかしながら、上記した公知文献1、2に示す従来のゲート通過システムは、何れもカード等の個人認証情報を使ってこのゲートの入退室を行うものであり、例えばこの個人認証情報を記録したＩＣカードが紛失、盗難等により本人以外の第3者に渡った場合、このＩＣカードを使って第3者がこのゲートを簡単に通過することができるという問題を有していた。
【０００７】
又上記した公知文献３に示す従来のゲート通過システムは、本人から切り離せない指紋を個人認証に使用しているが、指紋のパターン認識、同一人の指紋かどうかの照合判断に高価な装置を使わねばならず、ゲート通過システムとして高価になり、一部の特定業者しか利用できないという問題を有していた。
【０００８】
そこで本発明は、ゲートの開閉を管理するため、複数の認証検知装置を設け、第3者にはどの認証検知装置で個人認証を行うか判らないようにしたゲート通過システムを提供することを目的とする。
【課題を解決するための手段】
【０００９】
上記目的を達成するために、本発明は、エントランススペースと職場スペースとを備え、且つエントランススペースと職場スペースとの境界部に職場ゲートを設けたオフィススペースにおいて、上記職場ゲートの近傍で且つエントランススペース内に配置した複数の認証検知装置と、この職場スペースにある複数の職場単位で、上記複数の認証検知装置のどれを使うかを記録した職場リストと、職場スペース内に席を持つ複数の人の持つICカードとを備え、且つＩＣカードにその人の所属する職場に対応して予め定めてある職場リストに記録されている特定の認証検知装置を記録する認証検知装置記録手段とを備え、その人の職場で予め定めた認証検知装置でのみ職場ゲートを開き、それ以外の認証検知装置ではこの職場ゲートが開かないようにしたものである。
【００１０】
また本発明は、更には次のような構成とすることも可能である。
上記職場リストに記録した職場単位の認証検知装置を適宜変更し、この変更情報に基づき、記録情報を変更したＩＣカードにより職場ゲートを開くようにしても良い。
【００１１】
また本発明は、更には次のような構成とすることも可能である。
上記認証手段が上記ＩＣカードから読み取った認証検知装置情報が、この認証手段と異なった場合、警報を行う警報手段を上記エントランススペースに配置しても良い。
【発明の効果】
【００１２】
以上の説明から明らかなように、この発明に係わるゲート通過システムは、下記に示す効果が期待できる。
【００１３】
・  本発明は、個人認証用の認証検知装置を複数台設け、この認証検知手段に
よりゲートを通過管理するゲート通過システムにおいて、職場単位で決めた以外の認証検知装置ではゲート通過できず、決めた認証検知装置でのみゲート通過を行うことが出来るゲート通過システムを提供することが出来る。
(2)  また本発明は、職場単位で使う認証検知装置を適宜変更することで、部外者から見てどの職場がどの認証検知装置を使っているかが判り難いゲート通過システムを提供することが出来る
(3)  また本発明は、個人認証情報が記録されたＩＣカードを入手した第３者が間違えて予め設定してあるのと異なる認証検知装置でゲート通過しようとした場合に、この第３者のゲート通過を警告することで阻止することが可能である。
【発明を実施するための最良の形態】
【００１４】
以下この発明を実施するための最良の形態について、図１から図４を用いて詳細に説明する。
図1は本発明を実施するための最良の第１の実施例のゲート通過システムの全体説明図を、  図２は本発明を実施するための最良の第１の実施例で使用する職場リストの説明図を、図３は本発明を実施するための最良の第１の実施例で使用するＩＣカードの説明図、図４は本発明を実施するための最良の第１の実施例でのゲート通過システムの手順を示すフローチャートを示す。
【００１５】
本発明を実施するための最良の第１の形態を示す図１において、大きくはエントランススペース3、職場スペース4を備えており、このエントランススペース3と職場スペース4との境界部11に職場ゲート12を設けており、この職場スペースに設けた複数の職場のどれかに所属する所員が出入りする上記職場ゲートを対象としている。
【００１６】
このうちエントランススペース3と外5の境界には、外５とエントランススペース3間の出入りのための外_入口23を設けており、又上記職場ゲート12の近傍でエントランススペース3内に、夫々ＩＣカード読取部を設けた複数の認証検知装置20を配列している。
【００１７】
他方職場スペース4には、一般的に複数の職場40が存在している。そこで以降本発明では職場_A 41、職場_B 42、職場_C 43、職場_D 44……が存在している場合を例にとり説明する。
【００１８】
また本発明を実施するための最良の第１の形態において、所員は外5から外_入口23を介してエントランススペース3に入り、エントランススペース内に配置している複数の認証検知装置20のうちのひとつで個人認証を行い、職場ゲート12を介して職場スペース4に入るよう構成している。
【００１９】
本発明を実施するための最良の第１の形態として、ここでは複数の認証検知装置20として、認証検知装置_Aから認証検知装置_Dの４つの場合を取り上げて説明するが、２個以上の複数の認証検知装置の場合に、本発明を応用可能である。
【００２０】
又ここでは職場スペースに複数の職場40として、職場Aから職場Ｆがある場合を取り上げ、この職場単位にどの認証検知装置を使うかを予め決める場合を例にとり説明しているが、職場の数がこの説明以外の数の場合であっても本発明を実施できるのは言うまでもない。
【００２１】
また複数ある職場を幾つかのグループに分け、これらグループ別にどの認証検知装置を使うか決めたり、職場単位ではなく部長・課長・係長・平社員といった属性別にどの認証検知装置を使うか決めたり、まったく個人単位で決めたり、この職場ゲートの奥の職場スペース4に居る所員と、図示されていない別のところの所員とで認証検知装置を区別したり、以上説明したものを組み合わせて認証検知装置を決めるよう構成しても良い。
【００２２】
本発明を実施するための最良の第１の形態において、所員の携帯するICカード30にはICタグを備えており、このICタグにその所員の個人認証情報等を記録保存するよう構成している。
【００２３】
又本発明を実施するための最良の第１の形態においては、職場スペース4にある複数の職場40毎にどの認証検知装置20を使用するかを予め定めた職場リスト50を設けており、又この職場リスト50はエントランススペース3に配置した複数の認証検知装置20の個々からこの職場リスト50の内容が照合できるよう構成されている。
【００２４】
この職場リスト50では各職場No 52に対応して認証検知装置No 53を対応させて表で示しており、職場毎にその職場40に所属する所員のICカード30のICタグ31に、この職場リスト50でその所員が所属する職場40に割り付けられた認証検知装置No 53を記録保存するよう構成している。
【００２５】
又、所員は自分のICカード30を携帯し、この所員が所属する職場40に割り付けられた認証検知装置20に設けたICカード読取部26で、このICカード30に記録されている職場No 52と認証検知装置No 53(この情報をαと呼ぶ。)を読み取る。(図4に示す第1ステップ)
【００２６】
他方、所員のICカード30を読み取った認証検知装置20では、職場リスト50を呼び出し、上記ICカード30から読み取った職場No 52に対応する認証検知装置No 53を読み出す。(図4に示す第２ステップ)
【００２７】
読み出した認証検知装置No 53の情報をβと呼べば、この情報ベータと上記情報αと一致すれば、職場ゲート12を開とするよう構成している。(図4に示す第3ステップにてＹＥＳの場合の最終ステップ74)
【００２８】
また上記した所員が認証処理しているものと、職場に割り付けた特定の認証検知装置とが異なっている場合は、職場ゲート12を閉のままとしている。
この場合は更にエントランススペース3に警報装置(図示せず。)を設け、警告を発するよう構成することも出来る。更に職場ゲートは通常開とし、この欄に示す場合に開→閉に処理するよう構成しても良い。(図4に示す第3ステップにてNOの場合の最終ステップ75)
【００２９】
本発明を以上説明したように構成したので、職場単位で予め定めた認証検知装置20でのみ職場ゲート12を開くことが出来る。
本発明を実施するための最良の第１の形態においては、以上説明した構成としているため、このシステムを知らない第３者であっても複数ある認証検知装置20がｎ個ある場合、1/nの確率で、職場に割り当てた認証検知装置が当たることになる。
【００３０】
そこで、このゲート通過システム1のセキュリティを更に上げるため、本発明に加えて、所員個々で予め決めたパスワードを併用し、正しいパスワードであることも、職場ゲートを開とする条件に加えるようにしても良い。
【００３１】
この事例を、上記の説明で使用した図に加えて、図５を用いて説明する。
図５は所員名に対応して予め設定されたたパスワードをリスト化したものであり、職場ごとに対応して設定されている認証検知装置20に設けたパスワード入力手段27(但し図示しない。)にてパスワードを入力し、この入力データと、所員別パスワード60に纏めた所員名62に対応して記録保存されているパスワード64の内容とを照合し、合致すれば職場ゲート12を開とするよう構成している。
【００３２】
以上説明した本発明を実施するための最良の第１の形態で説明した内容とパスワードを併用させることにより、1/nの確率で、たまたまＩＣカードに記録されている認証検知装置Noが当たっただけでは、職場ゲートを開とできないため、仮にこのICカードが本人以外の第３者に渡った場合でも、このICカードを使って簡単にはこの職場ゲート入ることができないといったよりセキュリティを高めたゲート通過システムを構築することが出来る。
【産業上の利用可能性】
【００３３】
本発明はゲート通過システムが必要な産業で、好適にはセキュリティを高めたゲートシステムとか、所員の持つ所員証等のＩＣカードを利用してゲート通過を行っているゲート通過システムにおいて、このＩＣカードが第３者に渡った場合でも、第３者が容易にゲート通過ができないゲート通過システムとして利用される。
【図面の簡単な説明】
【００３４】
【図１】本発明を実施するための最良の第１の実施例のゲート通過システムの全体説明図
【図２】本発明を実施するための最良の第１の実施例で使用する職場リストの説明図
【図３】本発明を実施するための最良の第１の実施例で使用するＩＣカードの説明図
【図４】本発明を実施するための最良の第１の実施例でのゲート通過システムの手順を示すフローチャート
【図５】本発明を実施するための最良の別の実施例で使用する所員別パスワードの説明図
【符号の説明】
【００３５】
１  ゲート通過システム
３  エントランススペース
４  職場スペース
５  外
11  境界部
12  職場ゲート
13  外_入口
20  認証検知装置
21  認証検知装置_A
22  認証検知装置_B
23  認証検知装置_C
24  認証検知装置_D
26  ＩＣカード読取部
27  パスワード入力手段
30  ＩＣカード
31  ＩＣタグ
35  ＩＤ情報記録手段
・  職場_A
・  職場_B
・  職場_C
・  職場_D
・  職場_E
・  職場_F
・  職場リスト
・  職場No
・  認証検知装置No
・  所員別パスワード
・  所員別No
・  所員名
・  所員コード
・  パスワード
・  所員の所属する職場をＩＣカードより読み出すゲート通過システムの手順フローの第1ステップ
・  職場リストから読み出した職場に割り付けた特定の認証検知装置を読み取るゲート通過システムの手順フローの第２ステップ
・  所員が認証処理をしている装置がその所員の所属する職場に割り付けたものかどうかを判断するゲート通過システムの手順フローの第３ステップ
・  上記第3ステップの判断がＹＥＳの場合、職場ゲートを開とする最終ステップ
・  上記第3ステップの判断がＮＯの場合、職場ゲートを閉とする最終ステップ
【図１】
2009169804.tif 000003
【図２】
2009169804.tif 000004
【図３】
2009169804.tif 000005
【図４】
2009169804.tif 000006
【図５】
2009169804.tif 000007